(57)【特許請求の範囲】
【請求項１】
前枠に灰皿が取り付けられる遊技機において、
前記灰皿は、上面に窪みのある灰受け部分と窪みのない盲部分とを有する奥行きのある形状で、前記灰受け部分側及び前記盲部分側それぞれの端部の下面に凹部が設けられており、
前記前枠には、
前記灰受け部分及び盲部分のどちらを奥にした場合にも前記灰皿を挿入可能である貫通孔と、
前記貫通孔の裏面側に伸び、その先端部に設けられた下さがりの止板により、前記灰皿を前記盲部分を奥にして前記貫通孔に挿入したときには前記灰受けが前記前枠の前面に露出し、これとは逆に該灰受け部分を奥にして挿入したときには前記盲部分だけが前記前枠の前面に露出する位置に、前記灰皿の挿入限度を規定する上当て板と、
前記上当て板と対面して前記貫通孔の裏面側に伸び、その先端部の上面には前記灰皿を前記挿入限度まで挿入した際に前記凹部と係合する凸部が設けられた下当て板と
が設けられ、
前記貫通孔に挿入された灰皿は前記凹部と前記凸部との係合により固定され、
前記凹部と前記凸部との係合を解除する操作は前記前枠の裏面側からのみ可能である
ことを特徴とする遊技機。
【請求項２】
前記下当て板は弾性を有する板材で構成されていることを特徴とする請求項１記載の遊技機。
【請求項３】
前記貫通孔に左右で対をなす案内溝を設け、
前記灰皿には前記案内溝を滑る張り出し部を設けた
ことを特徴とする請求項１又は２記載の遊技機。
【請求項４】
前記灰受け部分は、前記盲部分と連設された本体に対してヒンジ機構を介して連結され、該ヒンジ機構によって手前に回動させて反転可能であることを特徴とする請求項１、２又は３記載の遊技機。
【発明の詳細な説明】
【０００１】
【発明の属する技術分野】
本発明は、遊技機の灰皿に関する。
【０００２】
【従来技術】
従来から、各遊技機には灰皿が備えられている。例えば、パチンコ機の灰皿は下皿に灰皿部のみ固定されたものが使用されている。しかし、最近では来客者の中に禁煙者が多くなり禁煙コーナを設けるホールが出ている。この手のホールでは喫煙コーナのパチンコ機を禁煙コーナに配置したり、禁煙コーナのパチンコ機を喫煙コーナに配置したりし、ホール内又は関連ホール間でのパチンコ機の配置替えをすることが多々ある。
【０００３】
この様な際に、禁煙コーナでは灰皿を使用できない様にしたり、再び喫煙コーナで灰皿を使用できる様にしてやらなければならない。ところが、この種のパチンコ機では下皿に灰皿が取り付けられている。従って、禁煙コーナに配置する際、灰皿を取り外し、その後を鉄板で蓋をしたり、或は、灰皿の上に鉄板を溶接して蓋をし、灰皿を使用できなくしていた。
【０００４】
これでは、再び喫煙コーナに配置した際に、旧灰皿が使えないばかりではなく、新しい灰皿を取り寄せて、新たに取り付けてやらなければならない。従って、これらの作業が誠に厄介である。
【０００５】
【発明が解決しようとする課題】
本発明は、遊技機を禁煙コーナから喫煙コーナに配置替えしたときに、灰皿を容易に復活させることを目的とする。
【０００６】
【課題を解決するための手段、発明の実施の形態及び発明の効果】
請求項１記載の遊技機は、前枠に灰皿が取り付けられる遊技機において、前記灰皿は、上面に窪みのある灰受け部分と窪みのない盲部分とを有する奥行きのある形状で、前記灰受け部分側及び前記盲部分側それぞれの端部の下面に凹部が設けられており、
前記前枠には、
前記灰受け部分及び盲部分のどちらを奥にした場合にも前記灰皿を挿入可能である貫通孔と、
前記貫通孔の裏面側に伸び、その先端部に設けられた下さがりの止板により、前記灰皿を前記盲部分を奥にして前記貫通孔に挿入したときには前記灰受けが前記前枠の前面に露出し、これとは逆に該灰受け部分を奥にして挿入したときには前記盲部分だけが前記前枠の前面に露出する位置に、前記灰皿の挿入限度を規定する上当て板と、
前記上当て板と対面して前記貫通孔の裏面側に伸び、その先端部の上面には前記灰皿を前記挿入限度まで挿入した際に前記凹部と係合する凸部が設けられた下当て板と
が設けられ、
前記貫通孔に挿入された灰皿は前記凹部と前記凸部との係合により固定され、
前記凹部と前記凸部との係合を解除する操作は前記前枠の裏面側からのみ可能である
ことを特徴とする。
盲部分を奥にして灰皿を貫通孔に挿入すれば灰皿受けが前枠の前面に露出して灰皿として使用でき、これとは逆に灰受け部分を奥にして挿入したときには盲部分だけが前枠の前面に露出するので灰皿としては使用できない。
前枠には、貫通孔の裏面側に伸びる上当て板と、上当て板と対面して貫通孔の裏面側に伸びる下当て板とが設けられている。
上当て板の先端部には下さがりの止板が設けられ、この下さがりの止板により、灰皿を盲部分を奥にして貫通孔に挿入したときには灰受けが前枠の前面に露出し、これとは逆に灰受け部分を奥にして挿入したときには盲部分だけが前枠の前面に露出する位置に、灰皿の挿入限度を規定する。
また、下当て板の先端部の上面には、灰皿を挿入限度まで挿入した際に灰皿の凹部と係合する凸部が設けられており、貫通孔に挿入された灰皿は凹部と凸部との係合により固定される。
凹部と凸部との係合を解除する操作は前枠の裏面側からのみ可能で、貫通孔に挿入された灰皿を固定した状態と該固定を解除する状態とに可変であるから、固定手段を操作して灰皿を抜き取り、前後を入れ替えて差し替えるだけで簡単に灰皿部と盲板部を取り替えできる。すなわち、喫煙コーナでは灰受け部分を前面に出すことができ、禁煙コーナでは盲部分を前面に出すことができるから、上記目的を達成することができる。
【０００７】
凹部と凸部との係合を解除する操作は前枠の裏面側からのみ可能であるから、ホールの人だけが灰皿の差替えができる。
【０００８】
また、請求項３記載のように、前記貫通孔に左右で対をなす案内溝を設け、前記灰皿には前記案内溝を滑る張り出し部を設けた構成とすれば、灰皿の抜き差しがスムーズになる。
【０００９】
請求項４記載の遊技機では、前記灰受け部分は、前記盲部分と連設された本体に対してヒンジ機構を介して連結され、該ヒンジ機構によって手前に回動させて反転可能としている。
以下に、本発明の実施の形態を実施例に基づいて説明する。
【００１０】
【実施例】
実施例は、図１に示す様に、パチンコ機１の前枠２に取付られている下皿５に備えられている灰皿１０に関するものである。
このパチンコ機１では、図２（ａ）に示す様に前枠２には貫通孔３を設け、この貫通孔３から前枠２の後方に伸びる金属製の上方の当て板２０と金属製の下方の当て板２５を設けてある。上方の当て板２０は、先端部に下さがりの止板２１が付いている。又、下方の当て板２５は弾性の有る板でできており、先端近くの上面に突起２６が付いている。
【００１１】
下皿５には、前枠２の貫通孔３を延長させて下皿５の前面まで貫通孔７を延長させてある。又、下皿５の貫通孔７の両側側面に案内溝６を設けてある。
灰皿１０は厚みをもたせた細長い形をしており長手方向の一方に灰受け１１を配置し、もう一方に盲板１５を配置している。
【００１２】
次に灰皿１０について、図３に基づいて詳しく説明する。
灰皿１０の本体は厚みを有した細長い形をしており、細長い形の一方に窪みのある灰受け部１１を有し、もう一方には窪みのない盲板１５を有している。又、長手方向両側面上部に張り出し部１３，１３を設けている。又、灰皿１０の両端近くに上記突起２６を受けるための受溝１７，１７が付いている。又、灰受け部１１は下皿５の大きさに合わせて長さを決め、どちらから差し込んでも盲板部１５が常に前枠２に掛かる程度に灰受け部１１より盲板部１５が全長の半分以上に渡って長くなる様に設けてある。さらに、灰受け部１１はヒンジ１２，１２を設けて開閉可能にしてある。
【００１３】
この様な構成をしている着脱自在の灰皿１０の差替え方法を、図２（ｂ）（ｃ）に基づいて詳しく説明する。下皿５の貫通孔７に合わせて案内溝６，６内を灰皿１０の張り出し部１３，１３を滑りこませ前進端まで差し込むと、止板２１に当り停止すると共に下方の当て板２５の突起２６が灰皿１０の受溝１７に入り込み灰皿１０を固定する。
【００１４】
灰皿１０を抜き出す場合は、下方の当て板２５を下方に押し下げておいて、灰皿１０を引き抜けば簡単に引き抜くことができる。
上述の様であるから、何時でも灰受け部１１と盲板部１５を簡単に差替えできる。
【００１５】
その他に、本発明の要旨を越えない限り種々の実施ができる。例えば、灰皿の張り出し部を側面中央部に設けてもよいし、前枠があれば下皿がなくともよい。又、パチンコ機以外の遊技機にも使用できる。
【図面の簡単な説明】
【図１】  実施例の灰皿位置を示す正面図。
【図２】  灰皿の差替え装置の説明を示す概略図。
【図３】  灰皿を示す斜視図。
【符号の説明】
１・・・パチンコ機、２・・・前枠、３・・・貫通孔、１０・・・灰皿、１１・・・灰受け部、１５・・・盲板部、２０・・・上方当て板、２５・・・下方当て板。
【図１】
0003994138.tif 000002
【図２】
0003994138.tif 000003
【図３】
0003994138.tif 000004